(57)【要約】【課題】  使用者が体を曲げてサンダルのベルト部を前方に位置するように置き直す必要がなく、トイレ等のサンダルであっても、手を汚染するのを防止でき、サンダル台の前後何れの方向からも足を乗せることができるようにする。サンダルの耐久性を向上させる。【解決手段】  足を乗せるサンダル台１２と、このサンダル台１２の上部にアーチ状に設けられるベルト部１３とを備え、サンダル台１２の長手方向の両側部側に沿って、ガイドレール部２１を左右一対形成し、ベルト部１３の左右両端側にガイドローラ２３を設け、左右のガイドローラ２３を左右のガイドレール部２１に夫々摺動可能に嵌合させ、ベルト部１３をサンダル台１２の長手方向に摺動可能に設ける。【選択図】  図１
0003135517.tif 000002
【実用新案登録請求の範囲】
【請求項１】
足を乗せることができるサンダル台と、このサンダル台の上部にアーチ状に設けられて足に係止されるベルト部とを備えたサンダルにおいて、前記ベルト部がサンダル台の長手方向に摺動可能に設けられ、前記サンダル台の前後何れの方向からも足を乗せることができるようになされていることを特徴とするサンダル。
【請求項２】
前記サンダル台の長手方向の両側部側に沿って、且つ長手方向の略中央部にガイドレール部が左右一対形成され、ベルト部の左右両端側にガイドローラが設けられ、該ベルト部の左右のガイドローラが前記左右のガイドレール部に夫々摺動可能に嵌合していることを特徴とする請求項１に記載のサンダル。
【請求項３】
前記サンダル台の長手方向の両端側の足乗せ面が後方に向かって下方に傾斜して形成されていることを特徴とする請求項１または請求項２に記載のサンダル。
【請求項４】
前記ベルト部が前後に分断されて前部ベルト部と後部ベルト部とから形成され、該前部ベルト部と後部ベルト部の両端部にガイドローラが夫々設けられていることを特徴とする請求項２または請求項３に記載のサンダル。
【考案の詳細な説明】
【技術分野】
【０００１】
本考案は家庭用のサンダルから病院サンダル，学校サンダル，トイレに置いてあるサンダル等のサンダルに関し、更に詳細に説明すると、足を乗せることができるサンダル台と、このサンダル台の上部にアーチ状に設けられて足に係止されるベルト部とを備えたサンダルに関する。
【背景技術】
【０００２】
従来より、サンダルのサンダル台は平面から見て足を乗せることができる長方形状または小判型の大きさに形成され、このサンダル台の前方側にアーチ状のベルト部の両端部がビス等の固着金具や縫製または接着剤等により固着されている。このベルト部が足に係止されて歩行することができるようになされている。このサンダルを脱いだあと、またはサンダルを履く場合に、サンダルの向きを手を使い前後を揃える作業が必要であった。
【０００３】
従来のサンダルのサンダル台とアーチ状のベルト部とは固定状態であるので、使用者が体を曲げてサンダルのベルト部を前方に位置するように置き直し、または片方の足でサンダルを回転させる等の作業を行っている。
【０００４】
従来のサンダルや履物には、健康の増進や運動能力の向上を目的として、使用者の足指の付け根に当接する凸状部を設けたもの（例えば、特許文献１参照。）、または爪先寄りの上面部分を覆う幅広アッパー部をサンダル台に架け渡し、踵寄りに２本の紐状体からなるバックバンドを設けたもの（例えば、特許文献２参照。）などが提案されている。
【特許文献１】特開２００７−８２６１１号公報
【特許文献２】登録実用新案第３０６０１５４号公報
【考案の開示】
【考案が解決しようとする課題】
【０００５】
然し乍ら、従来のサンダルは何れもサンダル台とアーチ状のベルト部とは固定状態であるので、作法的には使用者が体を曲げてサンダルのベルト部を前方に位置するように置き直し、または不作法ではあるが片方の足でサンダルを回転させる等の作業を行っている。また、トイレ等に置いてあるサンダルにあっては、手で作業を行うと手が汚染する虞れを有し、使用者が体を曲げなければならないので、腰痛やその他の病気で容易に腰を曲げることができない使用者の場合や、病人や手の不自由な使用者には楽な作業ではなく、作業が困難となる虞れを有していた。
【０００６】
更にサンダル台を同一方向から使用することとなるので、サンダルの使用状態が何時も一定であり、サンダル台の踵部分が一方的にすり減ったり、ベルト部の足の挿入側が傷んだりする等の欠点を有していた。更にサンダル台のベルト部の下方位置の清掃がベルト部が固定状態であるので困難であった。またサンダルの外観が悪く、美観を向上させることができず、簡易迅速に心地よく楽に利用することができないものであった。
【０００７】
本考案の目的は、使用者が体を曲げてサンダルのベルト部を前方に位置するように置き直し、または片方の足でサンダルを回転させる等の作業を行う必要がなく、トイレ等に置いてあるサンダルであっても、手を汚染する虞れがなく、使用者が体を曲げなくてもよいので、腰痛やその他の病気で容易に腰を曲げることができない使用者や、病人や手の不自由な使用者もサンダルを履くのが容易で簡易迅速に心地よく楽にサンダルを利用することができ、更にサンダル台を前後の両方向から使用することができ、サンダル台の清掃が容易に行なえ、且つサンダル台の片側のみのすり減りや損傷を減少させサンダルの耐久性を向上させることができ、経済性に優れたサンダルを提供するものである。
【課題を解決するための手段】
【０００８】
本考案は上述せる課題に鑑みてなされたもので、本考案の請求項１に記載のサンダルは、足を乗せることができるサンダル台と、このサンダル台の上部にアーチ状に設けられて足に係止されるベルト部とを備えたサンダルにおいて、前記ベルト部がサンダル台の長手方向に摺動可能に設けられ、前記サンダル台の前後何れの方向からも足を乗せることができるようになされていることを特徴とする。
【０００９】
また、本考案の請求項２に記載のサンダルは、請求項１に記載のサンダルにおいて、前記サンダル台の長手方向の両側部側に沿って、且つ長手方向の略中央部にガイドレール部が左右一対形成され、ベルト部の左右両端側にガイドローラが設けられ、該ベルト部の左右のガイドローラが前記左右のガイドレール部に夫々摺動可能に嵌合していることを特徴とする。
【００１０】
更に、本考案の請求項３に記載のサンダルは、請求項１または請求項２に記載のサンダルにおいて、前記サンダル台の長手方向の両端側の足乗せ面が後方に向かって下方に傾斜して形成されていることを特徴とする。
【００１１】
更にまた、本考案の請求項４に記載のサンダルは、請求項２または請求項３に記載のサンダルにおいて、前記ベルト部が前後に分断されて前部ベルト部と後部ベルト部とから形成され、該前部ベルト部と後部ベルト部の両端部にガイドローラが夫々設けられていることを特徴とする。
【考案の効果】
【００１２】
本考案の請求項１に記載のサンダルによれば、ベルト部がサンダル台の長手方向に摺動可能に設けられ、サンダルの向きを直さずに前記サンダル台の前後何れの方向からも足を乗せることができるので、使用者が体を曲げてサンダルのベルト部を前方に位置するように置き直す作業を行う必要がなく、トイレ等に置いてあるサンダルであっても、手を汚染する虞れがなく、使用者が体を曲げなくてもよいので、腰痛やその他の病気で容易に腰を曲げることができない使用者や、病人や手の不自由な使用者もサンダルを履くのが容易で簡易迅速に心地よく楽にサンダルを利用することができ、更にサンダルを前後の両方向から使用することができ、サンダル台の清掃が容易で、且つ片側のみのすり減りや損傷を減少させサンダルの耐久性を向上させることができ、経済性に優れたサンダルを得ることができる。
【００１３】
本考案の請求項２に記載のサンダルによれば、前記サンダル台の長手方向の両側部側に沿って、且つ長手方向の略中央部にガイドレール部が左右一対形成され、ベルト部の左右両端側にガイドローラが設けられ、該ベルト部の左右のガイドローラが前記左右のガイドレール部に夫々摺動可能に嵌合しているので、足を挿入するだけで、ベルト部の左右両端側のガイドローラが容易に前記サンダル台のガイドレール部に沿って前方に摺動し、ベルト部を前方に移動させることができ、サンダルの向きを直さずに前記サンダル台の前後何れの方向からも簡易迅速に足を乗せることができる。
【００１４】
本考案の請求項３に記載のサンダルによれば、前記サンダル台の長手方向の両端側の足乗せ面が後方に向かって下方に傾斜して形成されているので、サンダル台に足を乗せるのが容易となり、サンダルを履くのが容易で簡易迅速に心地よく楽にサンダルを利用することができる。
【００１５】
本考案の請求項４に記載のサンダルによれば、前記ベルト部が前後に分断されて前部ベルト部と後部ベルト部とから形成され、該前部ベルト部と後部ベルト部の両端部にガイドローラが夫々設けられているので、前部ベルト部と後部ベルト部とを単独で摺動させることができ、ベルト部の移動を簡易迅速に行うことができ、心地よく楽にサンダルを利用することができる。
【考案を実施するための最良の形態】
【００１６】
以下本考案に係るサンダルを図面を参照して詳述する。
図１及び図２には本考案に係るサンダルの第１実施の形態が夫々示されており、図１はサンダルの斜視図、図２はサンダルの一部横断面図、図３及び図４はサンダルの第２実施の形態を示す側面説明図である。
【００１７】
図１及び図２に示す如く、本考案に係るサンダル１１は平面から見て足を乗せることができる長方形状または小判型の大きさに形成されたサンダル台１２と、このサンダル台１２の上部にアーチ状に設けられて足に係止されるベルト部１３とを備えている。前記ベルト部１３はサンダル台１２の長手方向に摺動可能に設けられ、前記サンダル台１２の前後何れの方向からも足を乗せることができるようになされている。
【００１８】
前記サンダル１１のサンダル台１２は木製，プラスチック製，ゴム製または軽金属等から形成され、これらの材質を積層して用いることができる。また底部に滑り止めとしての凹凸形状やゴム部材を設けることができる。またアーチ状に設けられて足に係止されるベルト部１３は皮革，合成樹脂材または布材等より形成することができる。このベルト部１３の中央上部には装飾部材１５としての造花が取付けられている。尚、装飾部材１５は種々変形変更することができる。
【００１９】
図２に示す如く、前記サンダル台１２の長手方向の両側部側に沿って、且つ長手方向の略中央部に断面が略Ｃ字状のガイドレール部２１が左右一対形成され、前記アーチ状に設けられて足に係止されるベルト部１３の左右両端側にガイドローラ２３が設けられ、このベルト部１３の左右のガイドローラ２３が左右のガイドレール部２１に夫々摺動可能に嵌合している。
【００２０】
従って、サンダル台１２に足を乗せ、前方に移動させることにより、ベルト部１３の左右両端側のガイドローラ２３が容易に前記サンダル台１２のガイドレール部２１に沿って前方に摺動し、ベルト部１３を前方に移動させることができ、サンダル１１の向きを直さずにサンダル台１２の前後何れの方向からも簡易迅速に足を乗せることができる。
【００２１】
尚、本実施の形態ではガイドレール部２１をサンダル台１２の長手方向の略中央部の両側部に沿って適宜の長さで形成したが、サンダル台１２の平面側の両側部に形成するものであってもよい。またガイドレール部２１の長さを長くすればベルト部１３の摺動可能な範囲を大きくすることができる。尚更にガイドレール部２１をサンダル台１２の長手方向の略中央部でなく、何れか一方の端部に多少片寄らせることにより、足の大小に対応するサンダルとすることもできる。またベルト部１３の左右両端側にガイドローラ２３を複数設けることもできる。
【００２２】
またベルト部１３を伸縮性を有する部材より形成し、またはベルト部１３の両側である前部及び後部を伸縮性を有する部材より形成してもよい。またベルト部１３は前後対象な形状に形成するものに限定されるものではなく、種々変形変更することができる。更にベルト部１３を長手方向に対して２分割して形成し、左右のベルト部を相互にオーバーラップさせることができる程度の長さに形成し、全体としてのベルト部１３の長さを調節し得るように面ファスナー等により係止させてもよい。
【００２３】
また、図３及び図４に示す如く、本考案の第２実施の形態を示すサンダル１１は、前述せる第１実施の形態と対応する部分には同一符号を付してこれ以上の詳細説明はこれを省略するも、前記ベルト部１３の左右両端側にガイドローラ２３を夫々２個設け、また前記サンダル台１２の長手方向の両端側の足乗せ面が後方に向かって下方に傾斜して傾斜部１２ａが形成されている。
【００２４】
この第２実施の形態においても、図３に示す如く、ベルト部１３がサンダル台１２の長手方向の略中央位置に位置している状態より、図４に示す如く、ベルト部１３の左右両端側の２個のガイドローラ２３が容易に前記サンダル台１２のガイドレール部２１に沿って前後に摺動させ、図４に実線で示す位置より、想像線で示す位置にベルト部１３を前後に移動させることができ、サンダル台１２に足を乗せるのが容易であり、サンダル１１を簡易迅速に心地よく楽にサンダル１１を利用することができる。
【００２５】
更に、図５に示す如く、本考案の第３実施の形態を示すサンダル１１は、前記ベルト部１３が前後に分断されて前部ベルト部２５と後部ベルト部２６とから形成されている。この前部ベルト部２５と後部ベルト部２６の両端部にガイドローラ２３が夫々設けられているので、前部ベルト部２５と後部ベルト部２６とを単独で摺動させることができる。即ち、前部ベルト部２５を実線で示す位置より、想像線で示す位置に移動させることができる。尚、後部ベルト部２６を同様に移動させることができる。
【００２６】
前部ベルト部２５と後部ベルト部２６の間に比較的弱いバネ力のコイルバネ等を配設して、前部ベルト部２５と後部ベルト部２６とを通常時離間するように配置し、何れか一方のベルト部をコイルバネ等の付勢力に抗して摺動させるものであってもよい。この本考案の第３実施の形態においても、ベルト部１３の移動を簡易迅速に行うことができ、心地よく楽にサンダルを利用することができる。
【図面の簡単な説明】
【００２７】
【図１】本考案に係るサンダルの斜視図。
【図２】本考案に係るサンダルの一部横断面図。
【図３】本考案に係るサンダルの第２実施の形態を示す側面説明図。
【図４】本考案に係るサンダルの第２実施の形態を示すもので、ベルト部を移動させた状態を示す側面説明図。
【図５】本考案に係るサンダルの第３実施の形態を示す側面説明図。
【符号の説明】
【００２８】
１１    サンダル
１２    サンダル台
１２ａ  傾斜部
１３    ベルト部
１５    装飾部材
２１    ガイドレール部
２３    ガイドローラ
２５    前部ベルト部
２６    後部ベルト部
【図１】
0003135517.tif 000003
【図２】
0003135517.tif 000004
【図３】
0003135517.tif 000005
【図４】
0003135517.tif 000006
【図５】
0003135517.tif 000007